(57)【要約】【課題】  多層基板のグランド（ＧＮＤ）層に誘起するノイズがパターン層上の回路または素子に伝播しにくい電子機器を得る。【解決手段】  多層基板１がグランド層１ａとグランド層１ａに隣接するパターン層１ｄとを備えている。また、コンデンサーＣと抵抗Ｒとが直列に接続されている直列ＲＣ回路４が、ノイズフィルターとして設けられている。この直列ＲＣ回路４の一端は、グランド層１ａに電気的に接続され、直列ＲＣ回路４の他端は、パターン層１ｄに電気的に接続される。【選択図】  図２
2018074016.tif 000002
【特許請求の範囲】
【請求項１】
多層基板と、
コンデンサーと抵抗とが直列に接続されているノイズフィルターとしての直列ＲＣ回路とを備え、
前記多層基板は、グランド層と前記グランド層に隣接するパターン層とを備え、
前記直列ＲＣ回路の一端は、前記グランド層に電気的に接続され、
前記直列ＲＣ回路の他端は、前記パターン層に電気的に接続されること、
を特徴とする電子機器。
【請求項２】
前記パターン層は、アナログ信号を伝送する信号ラインを備え、
前記直列ＲＣ回路の一端は、前記グランド層に電気的に接続され、
前記直列ＲＣ回路の他端は、前記パターン層内の前記信号ラインに電気的に接続されること、
を特徴とする請求項１記載の電子機器。
【請求項３】
前記信号ラインに直列に接続されているフィルター抵抗をさらに備え、
前記フィルター抵抗および前記直列ＲＣ回路は、波形成形用のフィルターを構成すること、
を特徴とする請求項２記載の電子機器。
【請求項４】
それぞれコンデンサーと抵抗とが直列に接続されている複数の直列ＲＣ回路とを備え、
前記パターン層は、アナログ信号をそれぞれ伝送する複数の信号ラインを備え、
前記複数の直列ＲＣ回路は、前記複数の信号ラインに対して１対１に割り当てられ、
すべての前記直列ＲＣ回路の一端は、前記グランド層に電気的に接続され、
前記直列ＲＣ回路の他端は、その直列ＲＣ回路に対応する前記信号ラインに電気的にそれぞれ接続されること、
を特徴とする請求項１記載の電子機器。
【請求項５】
画像読取デバイスをさらに備え、
前記信号ラインは、前記画像読取デバイスにより出力されたアナログ画像信号を伝送すること、
を特徴とする請求項１から請求項４のうちのいずれか１項記載の電子機器。
【発明の詳細な説明】
【技術分野】
【０００１】
本発明は、電子機器に関するものである。
【背景技術】
【０００２】
電子機器のイミュニティ試験や静電気試験では、周囲から電磁波や静電気を電子機器に加えて電磁波や静電気の影響の有無を確認している。そのような周囲からの電磁波や静電気によって電子機器内のアナログ信号にノイズが重畳することがある。例えば、電子機器の一種である画像形成装置（複合機など）では、ＣＣＤ（Charge Coupled Device）、ＣＩＳ（Contact Image Sensor）などの画像読取デバイスから出力されるアナログ画像信号に対してそのようなノイズが重畳することで、読取画像が異常になることがある。
【０００３】
そのような場合、一般的に、信号ラインとグランドとの間にチップコンデンサーを設けることで、そのようなノイズを抑制することが多い（例えば特許文献１参照）。
【先行技術文献】
【特許文献】
【０００４】
【特許文献１】特開２０００−７７８５２号公報
【発明の概要】
【発明が解決しようとする課題】
【０００５】
図３は、多層基板のグランド（ＧＮＤ）層に誘起するノイズの伝播について説明する図である。図３に示すように、周囲からの電磁波に起因して多層基板のグランド（ＧＮＤ）層（図３における第３層）において外来ノイズが発生すると、そのノイズはグランド層を伝播していく。
【０００６】
多層基板において、グランド層に隣接してパターン層（図３における第４層）が並行して形成されている場合、グランド層とパターン層との間の静電結合が強くなり、グランド層を伝播していくノイズが、パターン層に誘起しやすくなる。
【０００７】
そのようなノイズが上述のパターン層に誘起すると、そのパターン層における配線（配線パターン）に電気的に接続されている回路モジュールや回路素子（基板表面のパターン層（図３における第１層または第６層）に実装されているモジュールや素子）へ、そのようなノイズが、配線パターンやスルーホールなどを介して到達し、誤作動を引き起こす可能性がある。
【０００８】
そのため、上述の電子機器のように、パターン層内の信号ラインとグランド層内のグランドとの間にチップコンデンサーを設けることが考えられるが、そのようなチップコンデンサーを設けると、信号ラインとグランド層内のグランドとの間のインピーダンスが低くなり、グランド層のノイズがそのチップコンデンサーを介してパターン層に伝播していくことになり、ノイズが抑制されない。
【０００９】
なお、グランド層との間に別の層が存在するパターン層（図３における第１層および第６層）については、両者間の距離が長かったり中間に導体が存在したりするため、静電結合が弱くなり、グランド層を伝播するノイズが誘起しにくい。
【００１０】
本発明は、上記の問題に鑑みてなされたものであり、多層基板のグランド（ＧＮＤ）層に誘起するノイズがパターン層上の回路または素子に伝播しにくい電子機器を得ることを目的とする。
【課題を解決するための手段】
【００１１】
本発明に係る電子機器は、多層基板と、コンデンサーと抵抗とが直列に接続されているノイズフィルターとしての直列ＲＣ回路とを備える。前記多層基板は、グランド層と前記グランド層に隣接するパターン層とを備える。前記直列ＲＣ回路の一端は、前記グランド層に電気的に接続され、前記直列ＲＣ回路の他端は、前記パターン層に電気的に接続される。
【発明の効果】
【００１２】
本発明によれば、多層基板のグランド（ＧＮＤ）層に誘起するノイズがパターン層上の回路または素子に伝播しにくい電子機器が得られる
【００１３】
本発明の上記又は他の目的、特徴および優位性は、添付の図面とともに以下の詳細な説明から更に明らかになる。
【図面の簡単な説明】
【００１４】
【図１】図１は、本発明の実施の形態に係る電子機器の多層基板およびノイズフィルターを示す模式的側面図である。
【図２】図２は、本発明の実施の形態に係る電子機器における信号ラインおよびノイズフィルターを示す回路図である。
【図３】図３は、多層基板のグランド（ＧＮＤ）層に誘起するノイズの伝播について説明する図である。
【発明を実施するための形態】
【００１５】
以下、図に基づいて本発明の実施の形態を説明する。
【００１６】
図１は、本発明の実施の形態に係る電子機器の多層基板およびノイズフィルターを示す模式的側面図である。図２は、本発明の実施の形態に係る電子機器における信号ラインおよびノイズフィルターを示す回路図である。
【００１７】
例えば図１に示すように、多層基板１は、当該電子機器の接地点（金属製筐体など）に電気的に接続されるグランド配線（配線パターン）を含むグランド（ＧＮＤ）層１ａ、図示せぬ電源装置により電源電圧を印加される電源配線（配線パターン）を含む電源層１ｂ、回路モジュール、素子などが実装され、回路モジュール、素子などに電気的に接続される配線（配線パターン）を含む、最外層であるパターン層１ｃ、回路モジュール、素子などに電気的に接続される配線（配線パターン）を含む最外層ではない（つまり中間層である）パターン層１ｄなどを備えている。
【００１８】
なお、図１に示す多層基板１は、６層の基板であるが、層数は６に限定されるものではない。
【００１９】
図１において、パターン層１ｄは、グランド層１ａに並行しかつ隣接している。つまり、パターン層１ｄとグランド層１ａとの間には他の層（配線を有する層）が存在しない。したがって、上述したように、グランド層１ａで発生したノイズが静電結合によりパターン層１ｄへ伝播しやすい。
【００２０】
多層基板１には、スルーホール２，３が設けられている。スルーホール２は、中間層であるグランド層１ａと最外層であるパターン層１ｃとの間を電気的に接続している。なお、スルーホール２は、グランド層１ａとパターン層１ｃとの間に位置する電源層１ｂには電気的に接続されていない。また、スルーホール３は、中間層であるパターン層１ｄと最外層であるパターン層１ｃとの間を電気的に接続している。なお、スルーホール３は、パターン層１ｄとパターン層１ｃとの間に位置するグランド層１ａおよび電源層１ｂには電気的に接続されていない。
【００２１】
さらに、多層基板１には、直列ＲＣ回路４が実装されている。直列ＲＣ回路４は、コンデンサーと抵抗とが直列に接続されている回路であって、ノイズフィルターとして機能する。
【００２２】
直列ＲＣ回路４の一端は、グランド層１ａ（具体的にはグランド層１ａのグランド配線）に電気的に接続され、直列ＲＣ回路４の他端は、パターン層１ｄ（具体的にはパターン層１ｄの配線）に電気的に接続されている。
【００２３】
この実施の形態では、直列ＲＣ回路４の一端は、スルーホール２を介してグランド層１ａに電気的に接続され、直列ＲＣ回路４の他端は、スルーホール３を介してパターン層１ｄに電気的に接続されている。
【００２４】
また、図２に示すように、パターン層１ｄは、配線として、アナログ信号を伝送する１または複数の信号ライン１１を備えている。そして、直列ＲＣ回路４の他端は、このパターン層１ｄ内の信号ライン１１に電気的に接続されている。なお、図２に示すように、信号ライン１１が複数ある場合には、各信号ライン１１に対して、直列ＲＣ回路４が同様に設けられている。
【００２５】
さらに、この実施の形態では、図２に示すように、各信号ライン１１に直列にフィルター抵抗Ｒｆが接続されており、このフィルター抵抗Ｒｆおよび直列ＲＣ回路４は、信号ライン１１上を伝送される信号の波形成形用のフィルターを構成している。
【００２６】
例えば、この電子機器が、スキャナー、ファクシミリ機、複合機などといった画像形成装置であって、原稿画像を光学的に読み取り読取画像に対応するアナログ画像信号を出力するＣＣＤ、ＣＩＳなどの画像読取デバイスを備えている場合において、この信号ライン１１は、その画像読取デバイスにより出力されたアナログ画像信号を伝送する。例えば、ＲＧＢのカラーアナログ画像信号を伝送する場合には、３本の信号ライン１１が設けられる。その場合、例えば、画像読取デバイスのドライバー回路などが、画像読取デバイスからアナログ画像信号を取得し信号ライン１１へ出力し、信号ライン１１に接続される後段のバッファーや画像処理回路がその信号ライン１１からアナログ画像信号を受け付ける。
【００２７】
次に、当該実施の形態に係る電子機器におけるノイズ抑制について説明する。
【００２８】
上述のように、グランド層１ａに誘起したノイズが静電結合でパターン層１ｄに誘起すると、グランド層１ａのグランド配線とパターン層１ｄの信号ライン１１との間でノイズに応じたスパイク状の電圧が生ずる。
【００２９】
しかし、スイッチング素子に対して設けられるスナバー回路のように、直列ＲＣ回路４によって、グランド配線とパターン層１ｄの信号ライン１１との間に生じたスパイク状の電圧が抑制される。
【００３０】
これにより、グランド層１ａからパターン層１ｄへ誘起したノイズが、パターン層１ｃ上の回路モジュールなどに伝播しにくくなる。したがって、放射ノイズや静電気に対する当該電子機器の耐性が高くなる。
【００３１】
以上のように、上記実施の形態によれば、多層基板１がグランド層１ａとグランド層１ａに隣接するパターン層１ｄとを備えている。また、コンデンサーＣと抵抗Ｒとが直列に接続されている直列ＲＣ回路４が、ノイズフィルターとして設けられている。この直列ＲＣ回路４の一端は、グランド層１ａに電気的に接続され、直列ＲＣ回路４の他端は、パターン層１ｄに電気的に接続される。
【００３２】
これにより、上述のように、多層基板１のグランド層１ａに誘起するノイズがパターン層１ｃ上の回路または素子に伝播しにくくなる。
【００３３】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００３４】
例えば、上記実施の形態において、グランド層１ａに隣接するパターン層は最外層のパターン層でもよく、その場合には、上述のスルーホール３は不要となる。
【産業上の利用可能性】
【００３５】
本発明は、例えば、スキャナー、複合機などの画像形成装置に適用可能である。
【符号の説明】
【００３６】
１  多層基板
１ａ  グランド層
１ｄ  パターン層
４  直列ＲＣ回路
１１  信号ライン
【図１】
2018074016.tif 000003
【図２】
2018074016.tif 000004
【図３】
2018074016.tif 000005